(57)【特許請求の範囲】
【請求項１】
インク導出部を中心に有する円筒状の芯体と、これを取巻く同心円状の少なくとも２層の各々色の異なる外被層とからなる合成樹脂製のペン先部材に対して、前記芯体の先端部を、被覆した前記外被層と共に楔状に切削して、前記芯体の先端部に幅広部と幅狭部とを形成し、前記芯体に接する第１の外被層を、前記芯体の前記幅広部の下方部に、更に長く露出するように、前記第１の外被層の外方に位置する第２の外被層と共に切削してなることを特徴とする合成樹脂製のペン先。
【請求項２】
前記芯体の先端部には、一対の向き合った幅広部と幅狭部とが形成されていることを特徴とする請求項１に記載の合成樹脂製のペン先。
【請求項３】
前記芯体に接する前記第１の外被層は、白色等の明色調の色で構成されることを特徴とする請求項１または２に記載の合成樹脂製のペン先。
【発明の詳細な説明】
【技術分野】
【０００１】
本発明は、ペン先に関し、特に、ペン先の先端部を楔状に形成して２種類の線幅を筆記可能とし、使用者が２種類の線幅を使い分けて使用する際、その使い勝手を良くした合成樹脂製のペン先に関するものである。
【背景技術】
【０００２】
従来、ペン先の先端部を楔状に形成して２種類の線幅を筆記可能としたペン先が特許文献１に開示されており、この特許文献１に開示されたペン先を図６〜図８に基いて詳述する。
従来のペン先５０は、合成樹脂製からなり、図６に示すように、インクタンクが内蔵された筆記具本体（図示略）の先端に取り付けられ、中心にインク導出部２を有し、略円筒状に形成される芯体４と、該芯体４の外周面に接して取巻くように同心円状に配置される略円筒状の外筒体６とからなる。
【０００３】
また、図６及び図７に示すように、芯体４の先端部は楔状に形成されている。このように芯体４の先端部が楔状に形成されることにより、芯体４の筆記面３は、図８に示すように、対向する長手側直線部１０、１０と、対向する短手側直線部１１、１１とからなる略矩形に形成される。
そこで、このペン先５０において、太線を筆記する場合には、芯体４先端の筆記面３の長手側直線部１０を、線を書く方向に指向させた状態で紙面を滑らせるようにする。一方、細線を筆記する場合には、芯体４先端の筆記面３の短手側直線部１１を、線を書く方向に指向させた状態で紙面を滑らせるようにする。
なお、図７及び図８に示すように、ペン先５０（外筒体６）の外周面には、筆記面３の長手側直線部１０、１０と略平行に延びる一対の扁平部８、８が縦方向に切削にて形成されている。この一対の扁平部８、８は、使用者が、筆記面３の向きを容易に判別できるために設けられたものである。
【０００４】
そして、使用者は、ペン先５０に設けた一対の扁平部８、８の位置を確認して、筆記具を、ペン先５０の一対の扁平部８、８（図６参照）が、線を書く方向に指向するようにして持って紙面を滑らせることで、太線を筆記することが可能となり、一方、筆記具を、ペン先５０の、一対の扁平部８、８が形成されていない部位６ａ、６ａ（図６参照）が、線を書く方向に指向するようにして持って紙面を滑らせることで、細線を筆記することが可能となる。
【特許文献１】意匠登録第１２４３５７９号公報
【発明の開示】
【発明が解決しようとする課題】
【０００５】
しかしながら、ペン先５０部分は非常に細くなっており、且つ芯体４はインクの色に染められるため方向性が確認しにくく、外筒体６はインクで汚される場合が多いので、使用者が太線または細線を使い分けて使用する際、ペン先５０に設けた一対の扁平部８、８を見分けることが非常に難しく、使い勝手が非常に悪かった。
【０００６】
本発明は、かかる点に鑑みてなされたものであり、２種類の線幅を筆記可能として、これら２種類の線幅を使い分けて使用する際、先端の筆記面の向きを容易に判別できるようにすることによって、その使い勝手を良くした合成樹脂製のペン先を提供することを目的とする。
【課題を解決するための手段】
【０００７】
本発明は、上記課題を解決するための手段として、請求項１に記載した発明は、インク導出部を中心に有する円筒状の芯体と、これを取巻く同心円状の少なくとも２層の各々色の異なる外被層とからなる合成樹脂製のペン先部材に対して、前記芯体の先端部を、被覆した前記外被層と共に楔状に切削して、前記芯体の先端部に幅広部と幅狭部とを形成し、前記芯体に接する第１の外被層を、前記芯体の前記幅広部の下方部に、更に長く露出するように、前記第１の外被層の外方に位置する第２の外被層と共に切削してなることを特徴とするものである。
本ペン先では、使用者は、筆記具を、芯体の幅広部の下方部に直線状で長く露出した第１の外被層が線を書く方向に指向するようにして持って紙面を滑らせれば、太線を筆記することができ、一方、前述したような第１の外被層が露出していない部位を線を書く方向に指向させるようにして持って紙面を滑らせれば、細線を筆記することができる。そして、第１の外被層は、第２の外被層とは異なった色で構成されているため、使用者は、露出した第１の外被層の位置を目視で簡単に判別することができ、筆記の際、太線または細線を容易に使い分けることが可能となる。
【０００８】
請求項２に記載した発明は、前記芯体の先端部には、一対の向き合った幅広部と幅狭部とが形成されていることを特徴とするものである。
このように構成することにより、２種類の線幅を容易に筆記可能にする。
【０００９】
請求項３に記載した発明は、前記芯体に接する前記第１の外被層は、白色等の明色調の色で構成されることを特徴とするものである。
このように構成することにより、第１の外被層をさらに簡単に見分けて判別することが可能となる。
【発明の効果】
【００１０】
本発明によれば、ペン先に露出した第１の外被層は、第２の外被層と相違した色で構成されると共に、芯体の一対の向き合った幅広部の下方に直線状に長く露出しているので、第１の外被層がペン先の周方向において、どの位置にあるかすぐに判別することができる。これにより、使用者は、筆記の際、先端の筆記面の向きが容易に判別できるようになり、太線または細線を容易に使い分けて使用でき、使い勝手が非常に良くなった。
【発明を実施するための最良の形態】
【００１１】
以下、本発明を実施するための最良の形態を図１〜図５に基いて詳細に説明する。なお、従来例と同一部材は同一符号を使用して説明する。
本発明の実施の形態に係るペン先１は、合成樹脂製からなり、インクタンクが内蔵された筆記具本体（図示省略）の先端部分に取り付けられるものである。
本ペン先１は、図４に示す、中央にインク導出部２を有する略円筒状の芯体４と、該芯体４の外周面に接して取巻くように同心円状に配置される略円筒状の中間筒体（第１の外被層）５及び該中間筒体５の外周面に接して取巻くように同心円状に配置される略円筒状の外筒体（第２の外被層）６からなる２層構造の外被層１２とから構成された、合成樹脂からなる円柱体のペン部材１Ａを切削して、図１に示す形状に形成される。この外被層１２を、図４の２点鎖線で示すように、外筒体６の外方にさらに外被層６Ａを増やして２層以上にしてもよい。また、中間筒体５と外筒体６とは各々異なった色で構成され、望ましくは、芯体４の外周面に接して取巻く中間筒体５を白色等の明色調の色にすることが望ましい。
また、本発明の実施の形態に係るペン先１では、第２の外被層を略円筒状の外筒体６として構成しているが、この第２の外被層は、中間筒体５の表面にコーティーングされた塗料またはメッキ等の薄膜状の外被層でもよい。当然ながら、第２の外被層として構成される塗料またはメッキ等は、中間筒体５の色とは異なった色で構成される。
【００１２】
図１に示すようなペン先１を形成するためには、まず、図４に示す円柱体のペン部材１Ａを適宜長さに切断し、図１に示すように、ペン部材１Ａの一端を先細りの楔状に切削することにより、芯体４の先端が中間筒体５より突出するように形成する。この場合、芯体４の中心には、インク導出部２、すなわち芯体４の全長に亘って、ひだ状の凹凸がある毛管溝が形成されているので、先端を切削した場合、インク導出部２が側面に露出するまで、切削する必要がある。さらに、ペン部材１Ａの他端も、図３に示すように、筆記具本体内のインクタンクに直接的又は間接的に接続するために適した逆円錐状に切削し、芯体４のインク導出部２を直接露出させる。
また、ペン部材１Ａの一端を先細りの楔状に切削することにより、図１に示すように、ペン部材１Ａの一端には、一対の向き合った幅広部７ａ、７ａと幅狭部７ｂ、７ｂとが形成される。これにより、図１及び図２に示すように、一対の幅広部７ａ、７ａと幅狭部７ｂ、７ｂとで囲まれた範囲に、対向する長手側直線部１０、１０と、対向する短手側直線部１１、１１とからなる略矩形の平面部である筆記面３（図２の斜線部）が形成され、２種類の線幅が筆記可能となる。なお、この筆記面３は、短手側直線部１１、１１の幅を狭くしすぎると、筆記圧による破損の問題が生じ、また、インクの流れも問題を生ずる虞がある。
【００１３】
このように形成されたペン先１の筆記面３により、太線を筆記する場合には、この芯体４の筆記面３の長手側直線部１０（筆記面３と幅広部７ａとの境部）を、線を書く方向に指向させて紙面を滑らせるようにすれば、太線を筆記することができ、一方、細線を筆記する場合には、芯体４の筆記面３の短手側直線部１１（筆記面３と幅狭部７ｂとの境部）を、線を書く方向に指向させて紙面を滑らせるようにすれば、細線を筆記することができる。
【００１４】
さらに、図１及び図５に示すように、ペン部材１Ａの一端に設けた一対の幅広部７ａ、７ａの下方部で、外筒体６の外周面に、該外筒体６を中間筒部５と共に縦方向に切削することで、一対の幅広部７ａ、７ａから下方に連続する、互いに略平行に延びる一対の扁平部８’、８’を形成している。これにより、これらの一対の扁平部８’、８’には、図１に示すように、外筒体６とは異なった色で構成される中間筒体５が、縦方向に直線状に露出するようになる。
なお、この一対の扁平部８’、８’は、使用者が、芯体４先端の筆記面３の向きを容易に判別できるように設けられたものである。
【００１５】
次に、本発明の実施の形態に係るペン先１を採用した筆記具の使用方法について説明する。
まず、太線を筆記する場合には、使用者は、筆記具を、ペン先１に設けた一対の扁平部８’、８’が、線を書く方向に指向するようにして持って紙面を滑らせる。
一方、細線を筆記する場合には、筆記具を、ペン先１の、一対の扁平部８’、８’が形成されていない部位６ａが、線を書く方向に指向するようにして持って紙面を滑らせる。
このように、太線または細線を筆記する際には、筆記具全体を周方向に回して、ペン先１の一対の扁平部８’、８’または一対の扁平部８’、８’の形成されていない部位６ａのいずれかを、線を書く方向に指向させればよいことになる。
この時、一対の扁平部８’、８’には、外筒体６とは相違した色で構成される中間筒体５が直線状に長くそれぞれ露出しているために、一対の扁平部８’、８’が周辺よりも目立つようになり、一対の扁平部８’、８’をはっきり見分けて判別することができる。これにより、太線または細線を使い分けて使用する際、ペン先１の一対の扁平部８’、８’または一対の扁平部８’、８’の形成されていない部位６ａのいずれかを、線を書く方向に簡単に指向させることができる。
【００１６】
以上説明したように、本発明の実施の形態に係るペン先１によれば、芯体４と、該芯体４の外周面に接して取巻くように同心円状に配置される中間筒体（第１の外被層）５及び該中間筒体５の外周面に接して取巻くように同心円状に配置される外筒体（第２の外被層）６からなる２層構造の外被層１２とから構成された円柱体のペン部材１Ａの一端を楔状に形成して、一対の幅広部７ａ、７ａと一対の幅狭部７ｂ、７ｂとを形成することにより２種類の線幅が容易に筆記可能となる。また、一対の幅広部７ａ、７ａから連続してその下方に一対の扁平部８’、８’を切削にて形成することにより、該一対の扁平部８’、８’に、外筒体６と相違した色で構成された中間筒体５を直線状に長く露出させている。
これにより、使用者は、中間筒体５が露出した一対の扁平部８’、８’を容易に判別することができるため、太線または細線を使い分けて使用する際、先端の筆記面３の向きを容易に判別することができ、その使い勝手が非常に良くなった。
【００１７】
なお、本発明の実施の形態では、芯体４を取巻く外被層１２は、上述しているように、中間筒体５及び外筒体６からなる２層構造で構成されているが、この外被層１２を２層以上で構成しても問題はない。望ましい実施例としては、芯体４の直径は１．２ｍｍ前後であって、その中でインク導出部２の直径は１．０ｍｍである。また、ペン部材１Ａの一端が楔状に切削されて、一端に形成された略矩形の平面部である筆記面３は０．３ｍｍ×０．８ｍｍである。
また、本発明の実施の形態では、一対の扁平部８’、８’を、中間筒体５が露出するように、外筒体６及び中間筒体５を縦方向に切削して設けているが、一対の扁平部８’、８’を、芯体４及び中間筒体５が露出するように、芯体４、中間筒体５及び外筒体６を切削して設けてもよい。このように構成すると、一対の扁平部８’、８’には、その中央に芯体４が縦方向に直線状に露出して、この芯体４を周りに中間筒体５が露出するようになる。この構成においても、露出した中間筒体５の色が、外筒体６とは相違した色で構成されているために、一対の扁平部８’、８’を容易に判別することが可能となる。
【図面の簡単な説明】
【００１８】
【図１】図１は、本発明の実施の形態に係る合成樹脂製のペン先の斜視図である。
【図２】図２は、図１のペン先の平面図である。
【図３】図３は、図１のＡ−Ａ線に沿う断面の斜視図である。
【図４】図４は、図１のペン先を形成するためのペン部材の断面図である。
【図５】図５は、図１のペン先の側面図である。
【図６】図６は、従来の合成樹脂製のペン先の正面図である。
【図７】図７は、図６のペン先の側面図である。
【図８】図８は、図６のペン先の平面図である。
【符号の説明】
【００１９】
１          ペン先
１Ａ        ペン部材
２          インク導出部
４          芯体
５          中間筒体（第１の外被層）
６          外筒体（第２の外被層）
８’        扁平部
１２        外被層
【図１】
0004632045.tif 000002
【図２】
0004632045.tif 000003
【図３】
0004632045.tif 000004
【図４】
0004632045.tif 000005
【図５】
0004632045.tif 000006
【図６】
0004632045.tif 000007
【図７】
0004632045.tif 000008
【図８】
0004632045.tif 000009